(57)【要約】【課題】  新たな視覚的演出効果を発揮することのできる遊技機における演出用表示装置を提供する。【解決手段】  演出画像が表示される液晶画面を、２つの液晶ディスプレイ２１Ｒ、２１Ｌで分割し、各液晶ディスプレイ２１Ｒ、２１Ｌを離れる方向へ移動させる移動機構３１Ｒ、３１Ｌを設け、この移動機構３１Ｒ、３１Ｌにより液晶ディスプレイ２１Ｒ、２１Ｌを分離移動させることができる構成とした。分離移動した液晶ディスプレイ２１Ｒ、２１Ｌの間には、リール機構２５を後方から進出させ、液晶ディスプレイ２１Ｒ、２１Ｌとリール機構２５により表示部を構成する。【選択図】図３
2006116232.tif 000002
【特許請求の範囲】
【請求項１】
遊技機の遊技状態を制御する遊技制御手段と、
前記遊技制御手段からの信号に応じて、画像情報を制御する画像制御手段と、
画像制御手段からの信号に応じた画像を表示する画像表示画面とを有する演出用表示装置であって、
前記画像表示画面は、相互に端部が突き合わされた複数の画面単体と、
隣接する前記画面単体を相互に離れる方向に移動可能に保持する移動手段とを有し、
さらに、前記複数の画面単体の分割移動した際に、画面単体間の間にて演出を行う演出装置を有し、
前記演出装置は、前記複数の画面単体の分割移動した際に、遊技機の前面に対して手前・奥方向に進退移動させる進退移動手段とを有する遊技機における演出用表示装置。
【請求項２】
前記画面単体は、２つである請求項１に記載の遊技機における演出用表示装置。
【請求項３】
画面単体は、液晶ディスプレイである請求項１又は２に記載の遊技機における演出用表示装置。
【請求項４】
前記演出装置は、複数の回胴リールと、各回胴リールの外周面に表示された複数の図柄と、各回胴リールを独立して駆動させる回転駆動手段とを有する請求項１〜３のいずれか１に記載の遊技機における演出用表示装置。
【発明の詳細な説明】
【技術分野】
【０００１】
この発明は、たとえばパチンコ遊技機（以下、単に「パチンコ」と言う。）や回胴式遊技機（以下、単に「スロットマシン」と言う。）等の遊技機に係り、詳しくは、遊技状態に応じて特定の情報を表示する表示手段を有する遊技機に関するものである。
【背景技術】
【０００２】
従来、遊技機としてパチンコやスロットマシンが普及している。これらの遊技機においては、遊技の進行とともに、遊技に附帯して各種の演出をする演出装置が設けられている。  
例えば、パチンコにおいては、液晶画面が設けられ、遊技球が特定の賞口に投入されると、液晶画面において、数種の演出画像が表示され、遊技者に対して遊技内容を演出する装置が設けられている。液晶画面には、複数の登場人物が登場する物語であったり、または複数の人間が戦う場面などの演出手法のほか、スロットマシンのように３つのリールが表示され、これらのリールが回転し役がそろうといった遊技の進行が表示されるなど、表示される画像の内容は任意に決定でき、多数種類の演出に利用できるといった点がある。
【０００３】
また、スロットマシンにおいても、ボーナス当選など遊技内容に応じて、液晶画面に表示される画像を変更し、遊技内容を任意の方法で演出することが行われている。  
液晶画面による演出は、画面に表示する内容を任意に設定できるという点で、極めて有利であり、現在の多く遊技機において取り付けられている。  
上記のように液晶画面を介して演出を行う装置には以下のようなものが挙げられる。
【特許文献１】特開２００４−２２９７３３号公報
【特許文献２】特開２００４−２２９７３８号公報
【発明の開示】
【発明が解決しようとする課題】
【０００４】
従来の液晶画面を用いた演出装置において、さらに演出効果を上げるために、例えば特許文献１に記載のように、画面に表示される画像パターンを変更し、或は、特許文献２に記載のように、画面自体をより大きくするなどの提案がなされている。
【０００５】
しかし、液晶画面による演出には、限界がある。例えば、液晶画面は遊技機に予め組み込まれて設定されているため、画像表示される領域は液晶画面が組み込まれている範囲に限られる。従って、遊技者は、液晶画面が組み込まれている領域内でのみ演出画像が表示されることを容易に予想できるので、演出に対して遊技者が注意を向けるのは、画面の範囲内に限られ、画像や画像に伴う効果音などにより演出効果を上げる以外に方法がなく、遊技者の予想を超えた意外性により演出効果をさらに発揮することは難しい。  
このように表示画面を用いた演出装置において、遊技の演出効果をより一層向上させるための新たな装置の提案が望まれている。
【０００６】
この発明の目的は、新たな視覚的演出効果を発揮することのできる遊技機における演出用表示装置を提供することにある。
【課題を解決するための手段】
【０００７】
以上のような問題を解決する本発明は、以下のような構成を有する。  
（１）  遊技機の遊技状態を制御する遊技制御手段と、
前記遊技制御手段からの信号に応じて、画像情報を制御する画像制御手段と、
画像制御手段からの信号に応じた画像を表示する画像表示画面とを有する演出用表示装置であって、
前記画像表示画面は、相互に端部が突き合わされた複数の画面単体と、
隣接する前記画面単体を相互に離れる方向に移動可能に保持する移動手段とを有し、
さらに、前記複数の画面単体の分割移動した際に、画面単体間の間にて演出を行う演出装置を有し、
前記演出装置は、前記複数の画面単体の分割移動した際に、遊技機の前面に対して手前・奥方向に進退移動させる進退移動手段とを有する遊技機における演出用表示装置。
【０００８】
（２）  前記画面単体は、２つである上記（１）に記載の遊技機における演出用表示装置。
【０００９】
（３）  画面単体は、液晶ディスプレイである上記（１）又は（２）に記載の遊技機における演出用表示装置。
【００１０】
（４）  前記演出装置は、複数の回胴リールと、各回胴リールの外周面に表示された複数の図柄と、各回胴リールを独立して駆動させる回転駆動手段とを有する上記（１）〜（３）のいずれか１に記載の遊技機における演出用表示装置。
【発明の効果】
【００１１】
請求項１に記載の発明によると、遊技状態に応じて画像が生成され、生成された画像が画像表示画面に表示される。この画像表示画面は、複数の画面単体に分割されており、移動手段によって、この画面単体が相互に離れる方向に移動することで、画像表示画面が設置されている範囲外に画面が移動し、さら演出装置が現出することで、予想外の視覚情報が発揮され、演出効果が向上する。
【００１２】
請求項２に記載の発明によると、２つの画面単体により画像表示画面を構成することにより、画面単体を移動させる移動手段の構成を簡易にできるととも、移動制御動作を簡易可できる。  
請求項３に記載の発明によると、画面単体を液晶ディスプレイとすれば、装置が板状であるため移動手段に装着することが容易である。また、液晶ディスプレイを用いることによって、相互に付き合わされる端部に枠体を設けない構成とすることが可能となるので、相互に合成して１つの表示画面を構成した場合に、突合せ部分が目立たない構成とすることが可能となる。
【００１３】
請求項４に記載の発明によると、回胴リールの回転が停止すると、各回胴リールの表面に記載された図柄の、特定の入賞ラインにおける組み合わせが決定する。表示装置が画像表示あるのに対して、画像表示とは異なる動作を示す回胴リールを備えた表示装置を現出させることにより、演出内容に目新しさを加え、より演出効果を向上させることができる。
【発明を実施するための最良の形態】
【００１４】
以下、本発明の実施形態として、遊技機における演出用表示装置をスロットマシンに用いた場合について、図１乃至図３を参照して説明する。なお、図１は本スロットマシン１００の外部構造を示した正面図、図２は本スロットマシン１００の内部構造を示した全体斜視図である。
【００１５】
図１において、本スロットマシン１００は、遊技者に面するフロントドア１０１と、フロントドア１０１が開閉可能に取り付けられた後述の筐体１０２とを備えて構成されている。フロントドア１０１は、上部パネル部１０３と中部パネル１０４と下部パネル部１０５とを備え、全体的に金属製のフレーム（図示略）と硬質プラスチックで成形された前面パネルとで形成されることによって、機械的に強固な構造を有している。  
上部パネル部は１０３には、上部ランプと呼ばれる演出用ランプ１０３ａと、スピーカが取り付けられた放音部１０３ｂ、１０３ｃと、液晶ディスプレイ等で形成された画像表示装置としての演出用表示装置１０３ｄが設けられている。
【００１６】
中部パネル部１０４には、複数個（本実施形態では３個）の回胴リールＲ１，Ｒ２，Ｒ３を備えた回胴リール装置２００が設けられる。なお、回胴リールＲ１，Ｒ２，Ｒ３の前面には、透明な硬質プラスチック板で形成された略長方形の透過窓ＷＤが設けられ、これによって回胴リール装置２００を外部から保護すると共に、遊技者が透過窓ＷＤを介して回胴リールＲ１，Ｒ２，Ｒ３を見ることが可能となっている。
【００１７】
更に、中部パネル部１０４の下端には遊技者が操作するための操作部１０４ｃが設けられ、当該操作部１０４ｃには、遊技メダルを投入するためのメダル投入部ＭＤと、１ゲーム当たりのメダル数を提示するためのベッドボタンＢ１，マックスベッドボタンＢ２と、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が設けられている。ベッドボタンＢ１、スタートレバーＳＴ、マックスベッドボタンＢ２、ストップボタンＳＰ１，ＳＰ２，ＳＰ３によって、遊技操作入力手段が構成される。
【００１８】
メダルの貯留には、貯留可能な上限の枚数が決められており、この実施形態では、５０枚に決められている。この枚数を越えてメダル投入部ＭＤから投入されたメダルは、後述の排出口１０５ａから返却される。  
下部パネル部１０５には、本スロットマシン１００のゲーム内容に関連した画象等（図示略）が描かれており、遊技者の取得したメダルを払い出すための排出口１０５ａ及び受皿１０５ｂと、スピーカが取り付けられた放音部１０５ｃが設けられている。
【００１９】
次に、図２を参照して、フロントドア１０１の裏面構造と、筐体１０２の内部構造を概説する。なお、図２はフロントドア１０１を開錠して筐体１０２から開いた状態を表している。同図において、フロントドア１０１の裏面上部に、上述の放音部１０３ｂ，１０３ｃを構成するスピーカＳＲ，ＳＬ（図示しない）が設けられると共に、スピーカＳＲ，ＳＬの間には、演出用表示装置１０３ｄが取り付けられている。  
演出用表示装置１０３ｄの下方には、上述の透過窓ＷＤと中部パネル部１０４のパネル面とが形成された略長方形の枠体１０４ｄが取り付けられている。
【００２０】
枠体１０４ｄの下方には、メダル投入部ＭＤより投入される投入物を正規の遊技メダルか異物か判別して振り分ける振分機構Ｇ０で振分けられた遊技メダルを筐体１０２側に設けられているホッパ装置ＨＰへ案内するガイド部材ＧＩと、振分機構Ｇ０で振分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応させて取り付けられている。
【００２１】
更に、上述の枠体１０４ｄと振分機構Ｇ０との間の領域に長尺状の中央表示基板４００が取り付けられ、当該中央表示基板４００の裏面側の一端に、設定ボタンＣＳと、数字の０から６までのセグメント表示を行う発光ダイオードで形成された設定表示素子ＣＴが設けられている。
【００２２】
筐体１０２内には、主電源装置ＰＷＵと、ホッパ装置ＨＰから溢れた遊技メダルを収容するための補助貯留部ＳＨＰと、状述の透過窓ＷＤに対向する回胴リールＲ１，Ｒ２，Ｒ３を備えた回胴リール装置２００の上端に回胴装置基板６００、回胴リール装置２００の上方に主制御基板７００、筐体１０２の内壁の一端に外部集中端子装置としての外部集中基板８００が夫々取り付けられている。
【００２３】
上述の主制御基板７００と、サブ制御基板３００、回胴装置基板６００、中央表示基板４００、電源装置基板５００及び外部集中端子基板８００は、何れも導電性配線パターンの形成された絶緑性樹脂基板上に集積回路装置（ＩＣ）やトランジスタ、抵抗、コンデンサ等の電子部品が搭載されて配線接続されたいわゆる電気回路基板として形成され、特に、主制御基板７００とサブ制御基板３００と外部集中端子基板８００は、夫々硬質プラスチックの収納ケース内に個別に収納されたユニット構造となっている。
【００２４】
主制御基板７００は、各信号の入出力を総括し、モニタを有しているものである。また、サブ制御基板３００は、演出用の画像、投射する視覚情報としての画像や文字、ランプ、蛍光灯、及び効果音を制御し、スピーカから出力する効果音の音量を切り換えるための音量スイッチを有している。
【００２５】
次に、演出用表示装置１０３ｄの構成について説明する。図３は、演出用表示装置１０３ｄの構成を示すもので、フロントドア１０１の裏側からの全体斜視図である。また、図４は、演出用表示装置１０３ｄの側面図である。  
演出用表示装置１０３ｄは、液晶ディスプレイ２１Ｒ、２１Ｌからなる前面表示部２０と、各液晶ディスプレイ２１Ｒ、２１Ｌをそれぞれ移動させる移動機構３１Ｒ、３１Ｌと、演出装置であるリール機構２５と、リール機構２５を前後方向に移動させる進退移動機構３５と、これらの演出動作を制御する制御回路とを備えている。
【００２６】
フロントドア１０１の裏面に取り付けられたケース２０１内に、上記液晶ディスプレイ装置２１Ｒ、２１Ｌが左右方向移動自在に収納されており、また、ケース２０１によって、上記移動機構３１Ｒ、３１Ｌ、進退移動機構３５が支持されている。
【００２７】
ケース２０１の正面側には、液晶ディスプレイ２１Ｒ、２１Ｌの収納位置に応じて、窓２０２が形成されている。さらにフロントドア１０１側にも、窓２０２に対応する位置に窓２０３が形成されており、外部から液晶ディスプレイ装置２１Ｒ、２１Ｌが視認できるように構成されている。
【００２８】
液晶ディスプレイ装置２１Ｒ、２１Ｌは、正面側にディスプレイ画面を向けて配置された表示装置２１１Ｒ、２１１Ｌと、表示装置２１１Ｒ、２１１Ｌの背面側に設けられた回路基板部２１２Ｒ、２１２Ｌと、表示装置２１１Ｒ、２１１Ｌの背面側に設けられ回路基板部２１２Ｒ、２１２Ｌを保護するカバー２１３Ｒ、２１３Ｌとを有している。液晶ディスプレイ装置２１Ｒは、スロットマシン１００の正面に向いて見た状態で、右側に、液晶ディスプレイ装置２１Ｒは、左側にそれぞれ配置されている。表示装置２１１Ｒ、２１１Ｌは、正面側に画像を表示する画面２１０Ｒ、２１０Ｌをそれぞれ有している。
【００２９】
液晶ディスプレイ装置２１Ｒ、２１Ｌの下側には、移動機構３１Ｒ、３１Ｌが配置されている。図５に示されているように、移動機構３１Ｒは、液晶ディスプレイ装置２１Ｒの下側に、移動機構３１Ｌは、液晶ディスプレイ装置２１Ｌの下側にそれぞれ配置され、各液晶ディスプレイ装置２１Ｒ、２１Ｌを、それぞれ独立して左右方向へ移動させる。
【００３０】
移動機構３１Ｒと、移動機構３１Ｌは、同一の構成であって、スロットマシン１００の中央を中心とし左右対称となる位置に構成要素が配置されている。以下、移動機構３１Ｒの構成について説明し、移動機構３１Ｌについては、構成の説明を省略する。移動機構３１Ｒは、ステッピングモータで構成されたモータ３１１Ｒと、リードスクリュー３１２Ｒを回動自在に支持する支持台３１３Ｒと、リードスクリュー３１２Ｒに螺合するナット３１４Ｒとを備え、リードスクリュー３１２Ｒの一端には、プーリ３１５Ｒの回転軸が、一体回転可能に接続されている。モータ３１１Ｒの回転軸の先端には、プーリ３１６Ｒが接続され、プーリ３１６Ｒと、プーリ３１５Ｒの間には、ベルト３１７Ｒが巻き掛けられている。この構成により、モータ３１１Ｒの回転は、リードスクリュー３１２Ｒに伝達される。
【００３１】
また、ナット３１４Ｒは接続部材２１４Ｒを介して、カバー２１３Ｒに接続されている。以上のような構成において、モータ３１１Ｒを回転させると、リードスクリュー３１２Ｒが回転し、この回転によってナット３１４Ｒがリードスクリュー３１２Ｒの軸方向に移動する。ナット３１４Ｒの移動により、液晶ディスプレイ装置２１Ｒが移動する。モータ３１１Ｒの回転方向に応じて、液晶ディスプレイ装置２１Ｒの移動方向が決定される。また、モータ３１１Ｒは、ステッピングモータであるから、モータ３１１Ｒの回転量を制御することができ、これにより液晶ディスプレイ装置２１Ｒの移動量も制御することができる。
【００３２】
移動機構３１Ｌについても、移動機構３１Ｒと同様の構成であるため、液晶ディスプレイ装置２１Ｌは、液晶ディスプレイ装置２１Ｒと同様に移動し、移動方向と移動量が制御される。また、液晶ディスプレイ装置２１Ｒ、２１Ｌは、単独で移動方向と移動量を制御することができる。
【００３３】
以上のような機構において、液晶ディスプレイ装置２１Ｒ、２１Ｌは、左右に移動可能となり、前面表示部２０は、図１及び図５に示されているように、画面単位としての画面２１０Ｒ、２１０Ｌが左右に分かれた状態と、中央で接触し１つの画面を構成した状態とに変更可能に構成される。
【００３４】
尚、他の移動機構の構成として、他のアクチュエータを用いて液晶ディスプレイ装置２１Ｒ、２１Ｌを移動させる構成を設けてもよい。例えば、リニアモータにより直接移動させる構成や、ラックとこれに歯合するピニオンとにより、ピニオンの回転で移動させる構成、或は、シンリダーとピストンを設け、油圧又は空気圧等により、移動させる構成などが挙げられる。
【００３５】
そして、画面２１０Ｒ、２１０Ｌが左右に分かれた状態においては、図６において、想像線で示されているように、左右の液晶ディスプレイ装置２１Ｒ、２１Ｌの間に、リール機構２５が正面側へ進出する。リール機構２５は、進退移動機構３５によって、正面方向と背面方向とへ往復移動可能に支持されている。
【００３６】
リール機構２５は、リールケース２５１と、リールケース５２１内に支持された回胴リール装置２５０とを備えている。回胴リール装置２５０は、２つの回胴リール２５３Ｒ、２５３Ｌを備え、回胴リール２５３Ｒ、２５３Ｌの外周には、それぞれ複数の図柄が配置されている。各回胴リール２５３Ｒ、２５３Ｌは、回転軸部２５４に設けられた回転駆動手段であるステッピングモータによりそれぞれ独立して回転する構成である。リールケース２５１は、正面側面に、窓２５２を有し、この窓２５２の位置に揃った図柄で、所定の役が組み合わされる構成となっている。また、この窓２５２及びこの窓２５２から外側に臨む１対の回胴リール２５３Ｒ、２５３Ｌで構成される第２表示部は、リール機構２５が最も正面側に移動した際に、画面２１０Ｒ、２１０Ｌと略おなじ面内に位置し、前面表示部２０の一部を構成する。個々で、各回胴リール２５３Ｒ、２５３Ｌに外周面に表示されている図柄は、それぞれ同じ図柄でも異なる図柄でもよい。図柄には、図形、文字、これらの合成したもの等、或は、本体の回胴リールＲ１，Ｒ２，Ｒ３に表示されたものと同一又は類似したものとしてもよい。
【００３７】
進退移動手段である進退移動機構３５は、ステッピングモータで構成される進退移動用モータ３５１と、リードスクリュー３５３を支持する支持台３５２と、リードスクリュー３５３に螺合するナット３５１とを備えている。ナット３５１は、リードスクリュー３５３の回動によって正面・背面方向に、即ち、遊技機の前面に対し手前・奥方向に、進退移動する。ナット３５１には、移動台３５６が固定され、移動台３５６は、アーム２５５を介してリール機構２５を支持している。
【００３８】
リードスクリュー３５３は、その一端に接続されたプーリ３５３Ｐと一体回転する。また、モータ３５１の回転軸には、これと一体回転するプーリ３５１Ｐが接続され、プーリ３５１Ｐとプーリ３５３Ｐの間には、ベルトＢ１が巻き掛けられている。この構成により、モータ３５１の回転は、リードスクリュー３５３に伝達される。
【００３９】
以上のような構成において、モータ３５１を回転させると、リードスクリュー３５３が回転し、この回転によってナット３５４がリードスクリュー３５３の軸方向に移動する。ナット３５４の移動により、リール機構２５が移動する。モータ３５１の回転方向に応じて、リール機構２５の移動方向が決定される。また、モータ３５１は、ステッピングモータであるから、モータ３５１の回転量を制御することができ、これによりリール機構２５の移動量も制御することができる。なお、リール機構２５は、正面側に露出した表示作動位置と、背面側に後退した収納位置との間を移動できればよいので、モータ３５１は、ステッピングモータでなくてもよい。
【００４０】
図７は本スロットマシン１０に設けられている制御システムの構成を示したブロック図である。主基板７００は、スロットマシン１００の動作全体を管理するシステムプログラム及びスロットマシンゲーム用の実行プログラムが予め記憶されている半導体メモリ等で形成された記憶部と、これらのプログラムを実行するマイクロプロセッサ（ＭＰＵ）とを有し、上述のマイクロプロセッサに設けられている入力ポート及び出力ポートと残余の基板３００，６００，４００，５００，８００との間が配線ケーブル（ハーネス）によって配線接続されている。このマイクロプロセッサＭＰＵにより遊技の進行又は状態を制御する遊技制御手段が構成される。
【００４１】
更に又、演出用スピーカＳＲ，ＳＷと演出用ランプ１０３ａと演出表示装置１０３ｄが配線ケーブルを介してサブ基盤３００に配線接続され、主基板７００中の上記マイクロプロセッサから供給される演出制御信号に従って、サブ基板３００に設けられている電気回路がこれら演出用スピーカＳＲ，ＳＷと演出用ランプ１０３ａと演出表示装置１０３ｄを駆動することにより、遊技者の視覚と聴覚に訴える演出を行う。この演出制御信号には、演出画像を表示する画像信号や、画面を分割し、又は結合するタイミングを指令するタイミング信号や、リール機構２５の回胴リール装置２５０の駆動を制御する駆動制御信号等が含まれる。
【００４２】
また、回胴装置基板６００は、図柄を回転させるための装置である各回胴を回転または停止させるために、主制御基板７００と各回胴の回胴ステッピングモータ、及び回転中の回胴の基準位置を検知するための回胴センサとの間を中継していると共に、主制御基板７００と外部集中端子基板８００との間を中継しているものである。したがって、この回胴装置基板６００には、電動モータによって回転駆動される回胴リールＲ１，Ｒ２，Ｒ３を備えた回胴リール装置２００が配線接続されており、主基板７００中の上記マイクロプロセッサから供給されるリール制御信号によって、上述の電動モータを制御することにより、回胴リールＲ１，Ｒ２，Ｒ３の回転と制動及び停止の制御を行う。
【００４３】
この中央表示基板４００には、振分機構Ｇ０、ベットボタンＢ１，マックスベッドボタンＢ２，スターレバーＳＴ，ストップボタンＳＰ１，ＳＰ２，ＳＰ３、設定表示素子ＣＴ、及び設定ボタンＣＳが配線接続されており、振分機構Ｇ０から出力されるＣＴ、及び設定ボタンＣＳが配線接続されており、振分機構Ｇ０から出力されるメダル検出信号と、ベットボタンＢ１，マックスベッドボタンＢ２，とスタートレバーＳＴ及びストップボタンＳＰ１，ＳＰ２，ＳＰ３から夫々出力されるオンオフ信号を主基板７００中の上記マイクロプロセッサへ転送すると共に、マイクロプロセッサから供給されるセグメント表示信号に基づいて、設定表示素子ＣＴに０から６までの数字を表示させる。
【００４４】
電源装置基板５００は、各部へ電源を供給すると共に、主制御基板７００とメダル払出装置、電源モニタ基板、電源スイッチ、及び遊技メダル補助収納庫満杯検知電極との間を中継するものである。このメダル払出装置は、入賞、メダル貯留装置の精算、または投入された遊技メダルの払い戻しにより遊技メダルを排出するためのものである。なお、払い戻しにより払い出された遊技メダルは払出センサにより検知される。また、電源モニタ基板は、自動精算スイッチ、打ち止めスイッチ、各ヒューズを有すると共に、電源装置基板５００と設定キースイッチ、及びリセットボタンとの間を中継しているものである。
【００４５】
この電源装置基板５００には、設定スイッチＢＯ、電源スイッチＢＱ、ホッパ装置ＨＰ，電源装置ＰＷＵが配線接続され、設定スイッチＢＯと電源スイッチＢＱから夫々出力されるオンオフ信号を主基板７００中の上記マイクロプロセッサへ転送する。更に、電源装置基板５００には、電源装置ＰＷＵで発生される各種電源電圧をホッパ装置ＨＰその他各所に配電する配電回路が形成されており、かかる配線回路からスロットマシン１００の動作に必要な電源供給が行われている。
【００４６】
外部集中端子基板８００は、主基板７００中に上記マイクロプロセッサから出力される信号を並列入力することが可能な複数個の入力端子と、該当信号を管理用電子装置としてのホールコンピュータ側へ並列転送することが可能な複数個の出力端子とを備える他、ホールコンピュータ側から供給される信号を入力する入力端子及び上記マイクロプロセッサへ転送する出力端子を備えて構成されている。
【００４７】
次に演出表示装置１０３ｄの制御回路について、図８に示されているブロック図に基づいて説明する。演出表示装置１０３ｄの制御回路は、移動制御部４１と、画像制御部４２とを有し、それぞれマイクロプロセッサ（ＣＰＵ）等により構成されている。移動制御部４１は、ザブ制御基板３００から供給されるタイミング信号や駆動制御信号等に基づき、各ステッピングモータ３５１、３１６Ｒ、３１６Ｌの駆動タイミングや駆動量を制御し、これにより液晶ディスプレイ２１Ｒ、２１Ｌの移動距離や移動タイミングが制御される。画像制御部４２は、ザブ制御基板３００から供給される画像信号に基づき、各液晶ディスプレイ２１Ｒ、２１Ｌへ画像信号を供給する。
【００４８】
また、画像制御部４２は、移動制御部４１に供給されるタイミング信号と同じ信号の供給を受け、例えば、液晶ディスプレイ２１Ｒ、２１Ｌを左右に分割させる動作を開始すると同時に、各液晶ディスプレイ２１Ｒ、２１Ｌに供給する画像を、分割状態での画像に変更する。また、逆に、液晶ディスプレイ２１Ｒ、２１Ｌを合体させる旨の信号が入力された場合に、2つの液晶ディスプレイ２１Ｒ、２１Ｌを合成して形成されるディスプレイ画面を1つの画面とする画像を供給する。このように、供給する画像を合成や分離を制御する。液晶ディスプレイ２１Ｒ、２１Ｌに表示される画像データは、ザブ制御基板３００から供給される。この画像データは、ザブ制御基板３００に予め蓄積されており、このサブ制御基板３００により画像制御手段が構成される。或は、画像データは、主制御基板７００に蓄積されていてもよい。サブ制御基板３００は、主制御基板７００からの制御信号に応じて、図８に示されている制御回路に制御信号を供給する。
【００４９】
以上のように、液晶ディスプレイ２１Ｒ、２１Ｌ自体が移動可能な構成とすることにより、表示されている画像に対して、表示ディスプレイ自体が２つに割れるという構成を加えることで、意外性のある、新しい演出効果を加えることができる。また、画像として表示される内容と、ディスプレイの左右方向の動き（開閉移動）に合わせることにより、相乗効果を得て、一層演出効果を向上させることができる。
【００５０】
なお、上記説明した構成は、液晶ディスプレイ２１Ｒ、２１Ｌが左右に配置され、これらが左右方向に移動することで、画面が左右に分割される構成であるが、この他、２つの液晶ディスプレイを上下に配置し、画面が上下に分割される構成とすることもできる。更に、分割される画面単位を構成する液晶ディスプレイを、２以上設けてもよい。例えば、画面を縦横方向に４分割し、それぞれの画面単位を相互に離れる方向（右上、右下、左上、左下の各方向、つまり放射状に移動する）に移動させるように構成してもよい。
【００５１】
さらに、分割された液晶ディスプレイ２１Ｒ、２１Ｌの間にて演出を行う演出装置としては、上記リール機構のほかに、他の画像表示装置を用いてもよい。このような画像表示装置としては、液晶ディスプレイやエレクトロルミネッセンスなどが挙げられる。このような画像表示装置にリールを表示し、或は他の画像を表示することにより、演出装置として機能させることができる。例えば液晶ディスプレイの表示制御回路としては、既述の液晶ディスプレイ２１Ｒ、２１Ｌと同様の制御回路を用いることができる。
【００５２】
また、このような演出用表示装置は、スロットマシンの上部に限らず、下部や、回胴リールの近傍に設けられていてもよい。  
以上の本実施形態においては、遊技機がスロットマシンの場合について説明したが、本発明の演出用表示装置は、パチンコやその他の遊技機に用いることもできる。
【図面の簡単な説明】
【００５３】
【図１】本スロットマシンの外部構造を示した全体正面図である。
【図２】本スロットマシンの内部構造を示した全体正面図である。
【図３】演出用表示装置の構成を示すもので、フロントドアの裏側からの全体斜視図である。
【図４】演出用表示装置の側面図である。
【図５】演出用表示装置の正面図である。
【図６】演出用表示装置の平面図である。
【図７】本スロットマシンに設けられている制御システムの構成を示したブロック図である。
【図８】演出表示装置の制御回路の構成を示すブロック図である。
【符号の説明】
【００５４】
１００  スロットマシン
１０３ｄ  演出用表示装置
２０  前面表示部
２１Ｒ、Ｌ  液晶ディスプレイ
２５  リール機構
３１  移動機構
３１１  モータ
３１２  リードスクリュー
３１４  ナット
３５  進退移動機構
【図１】
2006116232.tif 000003
【図２】
2006116232.tif 000004
【図３】
2006116232.tif 000005
【図４】
2006116232.tif 000006
【図５】
2006116232.tif 000007
【図６】
2006116232.tif 000008
【図７】
2006116232.tif 000009
【図８】
2006116232.tif 000010